(57)【要約】【課題】  給電ハブ装置において、端末接続ポートに給電制御対象の通信端末が１台のみ接続されている場合に限って給電管理装置からの指示を実行するとともに、給電管理装置が給電制御対象の通信端末が接続されているポートを意識することなく電力供給を制御する。【解決手段】  給電管理装置から受信した給電制御コマンドが給電の停止を指示していた場合に、端末ＩＤ記憶手段を参照し、前記給電制御コマンドが指定している端末ＩＤに対応する端末接続ポートに複数の端末ＩＤが記憶されているか否かを判定し、複数の端末ＩＤが記憶されていると判定したならば、給電の停止を実行しない。【選択図】    図２
2015039134.tif 000002
【特許請求の範囲】
【請求項１】
給電能力を備える１以上の端末接続ポートを備える給電ハブ装置において、
前記端末接続ポートに接続された受電端末を識別する端末ＩＤを指定して給電の開始または停止に係る給電制御コマンドを所定の給電管理装置から受信する給電制御コマンド受信手段と、前記受信した給電制御コマンドに応じて当該受電端末が接続されている端末接続ポートの給電の開始または停止を制御する給電制御手段と、前記端末接続ポートの各々から入力されるデータから１以上の端末ＩＤを抽出する端末ＩＤ抽出手段と、前記抽出した端末ＩＤを当該端末接続ポートと対応付けて記憶する端末ＩＤ記憶手段と、を有し、
前記給電制御手段は、前記給電管理装置から受信した前記給電制御コマンドが給電の停止を指示していた場合に、前記端末ＩＤ記憶手段を参照し、前記給電制御コマンドが指定している端末ＩＤに対応する端末接続ポートに複数の端末ＩＤが記憶されているか否かを判定し、複数の端末ＩＤが記憶されていると判定したならば、給電の停止を実行しないことを特徴とする給電ハブ装置。
【請求項２】
給電能力を備える１以上の端末接続ポートを備える給電ハブ装置において、
前記端末接続ポートに接続された受電端末を識別する端末ＩＤを指定して給電の開始または停止に係る給電制御コマンドを所定の給電管理装置から受信する給電制御コマンド受信手段と、前記受信した給電制御コマンドに応じて当該受電端末が接続されている端末接続ポートの給電の開始または停止を制御する給電制御手段と、前記端末接続ポートの各々から入力されるデータから１以上の端末ＩＤを抽出する端末ＩＤ抽出手段と、前記抽出した端末ＩＤを当該端末接続ポートと対応付けて記憶する端末ＩＤ記憶手段と、を有し、
前記端末ＩＤ記憶手段は、複数の端末ＩＤが抽出された端末接続ポートを検知した場合に、前記検知した端末接続ポートから入力された端末ＩＤを記憶しないことを特徴とする給電ハブ装置。
【請求項３】
請求項１または請求項２に記載の給電ハブ装置において、
前記給電制御コマンド受信手段は、前記所定の給電管理装置との通信リンクが形成されていない場合に接続されている受電端末が１台である端末接続ポートからの給電を停止することを特徴とする給電ハブ装置。
【請求項４】
給電能力を備える１以上の端末接続ポートを備える給電ハブ装置において、
予め登録したスケジュールに応じて前記端末接続ポートに接続された受電端末を識別する端末ＩＤを指定して給電の開始または停止を指示する計画給電指示手段と、前記計画給電指示手段からの指示に応じて当該受電端末が接続されている端末接続ポートの給電の開始または停止を制御する給電制御手段と、前記端末接続ポートの各々から入力されるデータから１以上の端末ＩＤを抽出する端末ＩＤ抽出手段と、前記抽出した端末ＩＤを当該端末接続ポートと対応付けて記憶する端末ＩＤ記憶手段と、を有し、
前記給電制御手段は、前記計画給電指示手段が給電の停止を指示していた場合に、前記端末ＩＤ記憶手段を参照し、前記給電制御コマンドが指定している端末ＩＤに対応する端末接続ポートに複数の端末ＩＤが記憶されているか否かを判定し、複数の端末ＩＤが記憶されていると判定したならば、給電の停止を実行しないことを特徴とする給電ハブ装置。
【請求項５】
給電能力を備える１以上の端末接続ポートを備える給電ハブ装置において、
予め登録したスケジュールに応じて前記端末接続ポートに接続された受電端末を識別する端末ＩＤを指定して給電の開始または停止を指示する計画給電指示手段と、前記計画給電指示手段からの指示に応じて当該受電端末が接続されている端末接続ポートの給電の開始または停止を制御する給電制御手段と、前記端末接続ポートの各々から入力されるデータから１以上の端末ＩＤを抽出する端末ＩＤ抽出手段と、前記抽出した端末ＩＤを当該端末接続ポートと対応付けて記憶する端末ＩＤ記憶手段と、を有し、
前記端末ＩＤ記憶手段は、複数の端末ＩＤが抽出された端末接続ポートを検知した場合に、前記検知した端末接続ポートから入力された端末ＩＤを記憶しないことを特徴とする給電ハブ装置。
【発明の詳細な説明】
【技術分野】
【０００１】
本発明は、ＩＰ電話機等の通信端末に対して電力を供給する給電ハブ装置に関するものである。
【背景技術】
【０００２】
従来の給電ハブ装置では、連携する外部の給電管理装置（給電管理サーバ）から給電の開始または停止に係わる指示を受け、配下の通信端末（ＩＰ電話機等）に対する電力供給を制御する技術が知られている（例えば特許文献１）。
【０００３】
しかし従来の方法では、電力供給を管理／制御を行う情報に、給電ハブ装置の端末接続ポートの位置に係わるポート情報を用いていたため、当該ポートに継続的に電力供給を必要とする他の通信端末が一緒に接続されている場合や、無線アクセスポイントを介して複数の通信端末が接続されている場合など、給電管理サーバからの指示のみに従って電力供給を停止すると、これら通信端末の通信が途絶えてしまう不都合があった。
【先行技術文献】
【特許文献】
【０００４】
【特許文献１】特開２００６−１９７１０４号公報
【発明の概要】
【発明が解決しようとする課題】
【０００５】
そこで本発明の課題は、給電ハブ装置において、端末接続ポートに給電制御対象の通信端末が１台のみ接続されている場合に限って給電管理装置からの指示を実行するとともに、給電管理装置が給電制御対象の通信端末が接続されているポートを意識することなく電力供給を制御することにある。
【課題を解決するための手段】
【０００６】
給電能力を備える１以上の端末接続ポートを備える給電ハブ装置であって、前記端末接続ポートに接続された受電端末を識別する端末ＩＤを指定して給電の開始または停止に係る給電制御コマンドを所定の給電管理装置から受信する給電制御コマンド受信手段と、前記受信した給電制御コマンドに応じて当該受電端末が接続されている端末接続ポートの給電の開始または停止を制御する給電制御手段と、前記端末接続ポートの各々から入力されるデータから１以上の端末ＩＤを抽出する端末ＩＤ抽出手段と、前記抽出した端末ＩＤを当該端末接続ポートと対応付けて記憶する端末ＩＤ記憶手段と、を有し、前記給電制御手段は、前記給電管理装置から受信した前記給電制御コマンドが給電の停止を指示していた場合に、前記端末ＩＤ記憶手段を参照し、前記給電制御コマンドが指定している端末ＩＤに対応する端末接続ポートに複数の端末ＩＤが記憶されているか否かを判定し、複数の端末ＩＤが記憶されていると判定したならば、給電の停止を実行しないことを特徴とする。
【発明の効果】
【０００７】
本発明によれば、端末接続ポートにおいて認識された通信端末固有の端末ＩＤを判断して、前記端末ＩＤが複数認識された場合に電力供給を停止しないよう制御することにより、継続的に電力供給を必要とする通信端末の通信を維持することが可能となる。
【０００８】
またポートの物理的位置を示すポートＩＤでなく通信端末固有の端末ＩＤで管理することにより、給電制御対象の通信端末を別のポートに移動した際にも、給電管理装置（給電管理サーバ）と給電ハブ装置間での不整合をなくし、安全に給電を制御することが可能となる。
【図面の簡単な説明】
【０００９】
【図１】本発明を用いた給電ハブ装置を含む通信システムの構成図である。
【図２】本発明による給電ハブ装置のブロック構成を示す図である。
【図３】給電ハブ装置の端末ＩＤ一時記憶部の記憶内容の一例を示す図である。
【図４】給電ハブ装置の給電対象端末ＩＤ記憶部の記憶内容の一例を示す図である。
【図５】給電ハブ装置の第一の実施例における給電制御部の動作フローである。
【図６】給電ハブ装置の第二の実施例における給電制御部の動作フローである。
【発明を実施するための形態】
【００１０】
以下、本発明の実施例を、図面を用いて説明する。
【００１１】
図１は、本発明を用いた給電ハブ装置を含む通信システムの構成図である。電話網１と接続する主装置２、およびＩＰ網３と接続するルータ４と、本発明による給電ハブ装置６のポート５とがＬＡＮ５を介して接続され、給電ハブ装置６のポート１とポート２とポート４には主装置２の内線端末であるＩＰ電話機１１，１２，１３が、ポート３には無線ＬＡＮアクセスポイント７が接続されており、これらに対して給電ハブ装置６は電力を供給する。
【００１２】
またポート３に接続された無線アクセスポイント７を介して無線ＩＰ電話機３１，３２が、またポート４に接続されたハブを内蔵するＩＰ電話機１３を介してパソコン２１が接続されている。
【００１３】
このとき給電ハブ装置６は、ポート１〜ポート４の各ポートに入力されるデータから、各端末で固有の端末ＩＤ（ＭＡＣアドレスやＩＰアドレスや固有ＩＤなど）を抽出し、自装置の端末ＩＤ記憶部に記憶するとともに、主装置２に対して前記抽出した端末ＩＤを通知する。尚、特定の端末ＩＤのみを記録、通知してもよい。
【００１４】
また主装置２は、給電制御装置として機能し、給電ハブ装置６から給電対象端末の端末ＩＤを受信し、当該端末ＩＤに対応づけられた省エネ設定やプレゼンスに応じて給電を管理し、端末ＩＤを通知してきた給電ハブ装置６に対して、端末ＩＤを指定した給電の開始または停止に係る給電制御コマンドを通知する。
【００１５】
前記給電制御コマンドを受信した給電ハブ装置６は、給電制御コマンドによって指示された端末ＩＤに対応するポートに対して給電の開始または停止を制御する。
【００１６】
図２は、本発明による給電ハブ装置のブロック構成を示す図である。
本発明による給電ハブ装置６は、給電能力を備え通信端末を収容するポート１〜ポート４（６０１〜６０４）と、上位ネットワークに位置する主装置２やルータ４と接続するアップリンクポート５（６０５）と、スイッチングハブ機能を実現するハブ機能部６１１と、ポート１〜ポート４（６０１〜６０４）において給電を必要とする通信端末の接続状態を検知する端末接続検知部６２１と、給電制御部６３０からの指示によって各ポートへの給電を行う端末給電部６２２と、自装置の各部に電力を供給する電源部６０９と、ハブ機能部６１１が抽出した１以上の端末ＩＤ（例としてＭＡＣアドレス）を各ポートに対応づけて所定の期間記憶する端末ＩＤ一時記憶部６１２（例としてＭＡＣアドレステーブル）と、各ポートに対応づけて給電制御対象とする単一の端末ＩＤを記憶する給電対象端末ＩＤ記憶部６３１と、主装置２に対して前記抽出した端末ＩＤを通知または主装置２から通知される給電制御コマンドを受信する主装置通信部６３２と、端末ＩＤ毎またはポート毎に予め給電の開始時刻または停止時刻を登録し、登録した時刻になった際に給電制御部６３０に給電の開始または停止に係わる指示を通知するスケジュール管理部６３３と、給電を制御する給電制御部６３０から構成されている。
【００１７】
給電制御部６３０は、まず端末接続検知部６２１によっていずれかのポート（６０１〜６０４）に給電を必要とする通信端末が接続されたことを検知すると、端末給電部６２２に指示して接続を検知したポートに対する給電を開始する。
【００１８】
次に、端末ＩＤ一時記憶部６１２に記憶されている端末ＩＤを所定の条件で抽出して、給電対象端末ＩＤ記憶部６３１に前記抽出した端末ＩＤを抽出したポートに対応づけて記憶するとともに、主装置通信部６３２を介して前記抽出した端末ＩＤを主装置２に通知する。
【００１９】
このとき、ポート３（６０３）やポート４（６０４）のように複数の通信端末が接続されている場合、端末ＩＤ一時記憶部６１２のひとつのポート区分に対して複数の端末ＩＤが記憶されるが、ポート１（６０１）やポート２（６０２）にように単一の通信端末が接続され単一の端末ＩＤのみが抽出された場合のみ、給電対象端末ＩＤ記憶部６３１に前記抽出した端末ＩＤを抽出したポートに対応づけて記憶する。
【００２０】
尚、所定の条件に合致する端末ＩＤのみを記憶、通知するようにしてもよい。これは、無線アクセスポイントに従属する無線ＩＰ電話機が１台のみの場合にも、新たに無線アクセスポイントに従属しようとする通信端末を受入れられるよう、無線アクセスポイントへの給電を継続させるよう給電制御を無効化する場合などに適用される。
【００２１】
また給電対象端末ＩＤ記憶部６３１の他のポートに対する端末ＩＤに、前記抽出した端末ＩＤと同一の値が記憶されていた場合には他のポートの端末ＩＤをクリアする。
【００２２】
次に給電制御部６３０が、主装置通信部６３２を介して主装置２からの給電制御コマンドを受信した場合またはスケジュール管理部６３３から給電に係わる指示を受信した場合に、受信した端末ＩＤと給電対象端末ＩＤ記憶部６３１の内容を照合し、給電制御対象のポートを特定する。
【００２３】
次に、端末給電部６２２に指示して前記特定したポートに対する給電の開始または停止を制御する。
【００２４】
次に給電制御部６３０が、端末接続検知部６２１によって給電を必要とする通信端末が取り外されたことを検知すると、端末給電部６２２に指示して前記通信端末が取り外されたことを検知したポートに対する給電を停止する。
【００２５】
図３は、給電ハブ装置の端末ＩＤ一時記憶部の記憶内容の一例を示す図である。
給電ハブ装置６の端末ＩＤ一時記憶部６１２は、データ転送を行っている通信端末のＭＡＣアドレス（端末ＩＤ）を一時的に記憶するＭＡＣアドレステーブルであり、ハブ機能部６１１によって抽出された１以上のＭＡＣアドレスを端末接続ポートに対応づけて所定の期間記憶するものである。
【００２６】
本図において、ＩＰ電話機１１のＭＡＣアドレス“Ａ００１”がポート１に（Ｖ６１２１）、ＩＰ電話機１２のＭＡＣアドレス“Ａ００２”がポート２に（Ｖ６１２２）、無線ＩＰ電話機３１のＭＡＣアドレス“Ｂ００１”がポート３に（Ｖ６１２３）、無線ＩＰ電話機３２のＭＡＣアドレス“Ｂ００２”がポート３に（Ｖ６１２４）、ＩＰ電話機１３のＭＡＣアドレス“Ａ００３”がポート４に（Ｖ６１２５）、ＩＰ電話機１３に内蔵されたハブを介して接続されたパソコン２１のＭＡＣアドレス“Ｃ００１”がポート４に（Ｖ６１２６）対応づけられて記憶されている。
【００２７】
尚、これらのＭＡＣアドレスは、給電ハブ装置６と通信端末との間で所定の期間データ転送が行われなかった場合に自動的にクリアされる。また通信端末を別の端末接続ポートに接続しなおした場合にも更新される。
【００２８】
本発明による給電ハブ装置６の給電制御部６３０では、このＭＡＣアドレステーブルに記憶されたポート区分毎のＭＡＣアドレスの数を判断して、給電対象端末ＩＤ記憶部６３１に記憶するＭＡＣアドレスを決定したり、給電停止の実行を制御する。
【００２９】
図４は、給電ハブ装置の給電対象端末ＩＤ記憶部の記憶内容の一例を示す図である。
給電ハブ装置６の給電対象端末ＩＤ記憶部６３２は、給電制御の対象とする通信端末のＭＡＣアドレス（端末ＩＤ）を端末接続ポート毎に１つを対応づけて記憶する管理テーブルである。
【００３０】
給電制御部６３０は、端末ＩＤ一時記憶部６１２の記憶内容（図３に一例を示す）を検索し、１つのポート区分に記憶されているＭＡＣアドレスの数を判定して、ＭＡＣアドレスの数が１である場合に当該ＭＡＣアドレスを端末接続ポートに対応づけて給電対象端末ＩＤ記憶部６３１に記憶する。またこのとき１つのポート区分において複数のＭＡＣアドレスが存在している場合には、給電対象端末ＩＤ記憶部６３１に記憶させず、当該ポート区分に対応する記憶内容をクリアする。
【００３１】
これにより、給電対象端末ＩＤ記憶部６３２のポート１の区分にＩＰ電話機１１のＭＡＣアドレス“Ａ００１”（Ｖ６３１１）が、ポート２の区分にＩＰ電話機１２のＭＡＣアドレス“Ａ００２”（Ｖ６３１２）が記憶される。
【００３２】
尚、給電対象端末ＩＤ記憶部６３２には、端末ＩＤ一時記憶部６１２において複数のＭＡＣアドレスが記憶されているポート３とポート４の区分の端末ＩＤは記憶しない（Ｖ６３１３〜Ｖ６３１４）。
【００３３】
図５は、第一の実施例として、給電停止指示を受信時にＭＡＣアドレステーブルの記憶内容を検査して給電停止の実行を判断する場合における給電制御部の動作フローを示す。
【００３４】
本発明による給電ハブ装置の電源を入れ本フローを開始した場合（Ｓ６００）において給電制御部６３０は、端末接続検知部６２１によって給電対象の通信端末が接続されたことを検知すると（Ｓ６０１，ＹＥＳ）、端末給電部６２２に指示して前記接続を検出したポートへの給電を開始する（Ｓ６０２）。
【００３５】
次に、端末ＩＤ一時記憶部（ＭＡＣアドレステーブル）６２１を検査し（Ｓ６０３）、前記接続を検知したポート区分に属する端末ＩＤ（ＭＡＣアドレス）の数が単一であるか複数であるかを判定し（Ｓ６０４）、
【００３６】
単一であった場合に（Ｓ６０４，ＹＥＳ）、主装置通信部６３２を介して当該ＭＡＣアドレスを主装置２に通知する（Ｓ６０５）。また前記接続を検知したポート区分に属するＭＡＣアドレスの数が複数であった場合には（Ｓ６０４，ＮＯ）、ステップ６０６に進む。
【００３７】
次に、給電制御部６３０が主装置通信部６３２を介して主装置２からの給電制御コマンドを受信した場合またはスケジュール管理部６３３から給電に係わる指示を受信した場合に（Ｓ６０６，ＹＥＳ）、前記受信したＭＡＣアドレス（端末ＩＤ）とＭＡＣアドレステーブル６１２の内容を照合し、給電制御対象のポートを特定する（Ｓ６０７）。
【００３８】
次に、給電制御対象のポートを特定できた場合には（Ｓ６０８，ＹＥＳ）ステップ６０９に進む。また給電制御対象のポートを特定できなかった場合には（Ｓ６０８，ＮＯ）ステップ６１４に進む。
【００３９】
ステップ６０９において、主装置２から受信した給電制御コマンドまたはスケジュール管理部６３３から受信した給電に係わる指示の内容が給電の停止を指示するものであった場合（Ｓ６０９，ＹＥＳ）、ＡＰＲテーブル６１２を検査し、指示された給電制御対象ポートの区分に属するＭＡＣアドレスの数が単一であるか複数であるかを判定し（Ｓ６１０，Ｓ６１１）、単一であった場合に（Ｓ６１１，ＹＥＳ）、端末給電部６２２に指示して当該ポートへの給電を停止する（Ｓ６１２）。また複数であった場合には（Ｓ６１１，ＮＯ）、ステップ６１４に進む。
【００４０】
また主装置２から受信した給電制御コマンドまたはスケジュール管理部６３３から受信した給電に係わる指示の内容が給電の停止を指示するものでなかった場合には（Ｓ６０９，ＮＯ）、端末給電部６２２に指示して当該ポートへの給電を開始し（Ｓ６１３）、ステップ６１４に進む。
【００４１】
次に、ステップ６１４において給電制御部６３０は、端末接続検知部６２１によって給電対象の通信端末が取り外されたことを検知すると（Ｓ６１４，ＹＥＳ）、端末給電部６２２に指示して前記通信端末が取り外されたポートへの給電を停止し（Ｓ６１５）、ステップ６０１に戻る。
【００４２】
また端末接続検知部６２１によって給電対象の通信端末の接続が維持されていることを検知すると（Ｓ６１４，ＮＯ）、ステップ６０３に進む。
【００４３】
これにより、通信端末が１台のみ接続されているポートに限って給電が停止され、複数の通信端末が接続されているポートにおいては給電が継続され該通信端末との通信が維持される。
【００４４】
図６は、第二の実施例として、ＭＡＣアドレステーブルの記憶内容を検査して給電制御対象のポートを判断する場合における給電ハブ装置の給電制御部の動作フローを示す。
【００４５】
本発明による給電ハブ装置の電源を入れ本フローを開始した場合（Ｓ６００）において給電制御部６３０は、端末接続検知部６２１によって給電対象の通信端末が接続されたことを検知すると（Ｓ６２１，ＹＥＳ）、端末給電部６２２に指示して前記接続を検出したポートへの給電を開始する（Ｓ６２２）。
【００４６】
次に、端末ＩＤ一時記憶部（ＭＡＣアドレステーブル）６２１を検査し（Ｓ６２３）、前記接続を検知したポート区分に属する端末ＩＤ（ＭＡＣアドレス）の数が単一であるか複数であるかを判定し（Ｓ６２４）、
【００４７】
単一であった場合に（Ｓ６２４，ＹＥＳ）、給電対象端末ＩＤ記憶部６３１に当該ＭＡＣアドレスを端末接続ポートに対応づけて記憶するともに（Ｓ６２５）、主装置通信部６３２を介して当該ＭＡＣアドレスを主装置２に通知する（Ｓ６２６）。
【００４８】
次に、給電対象端末ＩＤ記憶部６３１の他のポート区分に、前記記憶したＭＡＣアドレスと同一の値が記憶されていた場合には（Ｓ６２７，ＹＥＳ）、他のポート区分の記憶内容をクリアする（Ｓ６２８）。
また前記接続を検知したポート区分に属するＭＡＣアドレスの数が複数であった場合には（Ｓ６２４，ＮＯ）、ステップ６２９に進む。
【００４９】
次に、給電制御部６３０が主装置通信部６３２を介して主装置２からの給電制御コマンドを受信した場合またはスケジュール管理部６３３から給電に係わる指示を受信した場合に（Ｓ６２９，ＹＥＳ）、前記受信したＭＡＣアドレス
（端末ＩＤ）と給電対象端末ＩＤ記憶部６３１の記憶内容を照合し、給電制御対象のポートを特定する（Ｓ６３０）。
【００５０】
次に、給電制御対象のポートを特定できた場合には（Ｓ６３１，ＹＥＳ）ステップ６３２に進む。また給電制御対象のポートを特定できなかった場合には（Ｓ６３１，ＮＯ）ステップ６３５に進む。
【００５１】
ステップ６３２において、主装置２から受信した給電制御コマンドまたはスケジュール管理部６３３から受信した給電に係わる指示の内容が給電の停止を指示するものであった場合（Ｓ６３２，ＹＥＳ）、端末給電部６２２に指示して当該ポートへの給電を停止し（Ｓ６３３）、ステップ６３５に進む。
【００５２】
また主装置２から受信した給電制御コマンドまたはスケジュール管理部６３３から受信した給電に係わる指示の内容が給電の停止を指示するものでなかった場合には（Ｓ６３２，ＮＯ）、端末給電部６２２に指示して当該ポートへの給電を開始し（Ｓ６３４）、ステップ６３５に進む。
【００５３】
次に、ステップ６３５において給電制御部６３０は、端末接続検知部６２１によって給電対象の通信端末が取り外されたことを検知すると（Ｓ６３５，ＹＥＳ）、端末給電部６２２に指示して前記通信端末が取り外されたポートへの給電を停止し（Ｓ６３６）、ステップ６２１に戻る。
【００５４】
また端末接続検知部６２１によって給電対象の通信端末の接続が維持されていることを検知すると（Ｓ６３５，ＮＯ）、ステップ６２３に進む。
【００５５】
これにより、通信端末が１台のみ接続されているポートに限って給電が停止され、複数の通信端末が接続されているポートにおいては給電が継続され通信が維持される。
【００５６】
尚、図５のステップ６０５や、図６のステップ６２５やステップ６２６においては、所定の条件に合致する端末ＩＤのみを記憶、通知するようにしてもよい。
【００５７】
尚、図示しないが、主装置通信部６３２によって本発明の給電ハブ装置６と所定の主装置（給電管理装置）２との通信リンクが切断されたことを検知した場合に、端末接続ポートに接続されている通信端末が１台である当該ポートからの給電を停止するようにしてもよい。
【００５８】
尚、本実施例では、ＭＡＣアドレスを端末ＩＤとしたが、通信端末を特定するＩＰアドレスや固有のＩＤを用いてもよい。
【符号の説明】
【００５９】
１・・・電話網
２・・・主装置（給電管理装置）
３・・・ＩＰ網
４・・・ルータ
５・・・ＬＡＮ
６・・・給電ハブ
７・・・無線アクセスポイント
１１，１２，１３・・・ＩＰ電話機
２１・・・パソコン
３１，３２・・・無線ＩＰ電話機
６０１，６０２，６０３，６０４・・・端末接続ポート
６０５・・・アップリンクポート
６０９・・・電源部
６１１・・・ハブ機能部
６１２・・・端末ＩＤ一時記憶部
６２１・・・端末接続検知部
６２２・・・端末給電部
６３０・・・給電制御部
６３１・・・給電対象端末ＩＤ記憶部
６３２・・・主装置通信部
６３３・・・スケジュール管理部
【図１】
2015039134.tif 000003
【図２】
2015039134.tif 000004
【図３】
2015039134.tif 000005
【図４】
2015039134.tif 000006
【図５】
2015039134.tif 000007
【図６】
2015039134.tif 000008